(57)【要約】【課題】  個人コンテンツに対して適合度が高く、検索を容易に行うことができるメタデータを容易に生成する。【解決手段】  個人のコンテンツ情報を作成する個人コンテンツ情報作成手段１３と、検索用メタデータの作成対象となるパブリックコンテンツ情報を収集するパブリックコンテンツ情報収集手段２２と、該パブリックコンテンツ情報収集手段で収集したパブリックコンテンツ情報から前記検索用メタデータの基礎となるキーワードを抽出するキーワード抽出手段２４と、該キーワード抽出手段で抽出したキーワードに基づいて前記個人コンテンツ情報作成手段で作成した個人コンテンツに対する検索用メタデータを生成するメタデータ生成手段２６とを備えている。【選択図】  図２
2006163877.tif 000002
【特許請求の範囲】
【請求項１】
個人のコンテンツ情報を作成する個人コンテンツ情報作成手段と、検索用メタデータの作成対象となるパブリックコンテンツ情報を収集するパブリックコンテンツ情報収集手段と、該パブリックコンテンツ情報収集手段で収集したパブリックコンテンツ情報から前記検索用メタデータの基礎となるキーワードを抽出するキーワード抽出手段と、該キーワード抽出手段で抽出したキーワードに基づいて前記個人コンテンツ情報作成手段で作成した個人コンテンツに対する検索用メタデータを生成するメタデータ生成手段とを備えたことを特徴とするメタデータ生成装置。
【請求項２】
前記パブリックコンテンツ情報収集手段は、メタデータを含むパブリックコンテンツ情報を収集するように構成され、前記キーワード抽出手段は、前記パブリックコンテンツ情報収集手段で収集したパブリックコンテンツ情報に含まれるメタデータを解析するメタデータ解析手段と、該メタデータ解析手段の解析結果に基づいて形態素解析してキーワードを抽出する形態素解析手段とを備えたことを特徴とする請求項１に記載のメタデータ生成装置。
【請求項３】
前記パブリックコンテンツ情報収集手段は、音声情報を含むパブリックコンテンツ情報を収集し、前記キーワード抽出手段は、前記音声情報を音声認識してテキストデータを形成する音声認識手段と、該音声認識手段で形成されたテキストデータを形態素解析してキーワードを抽出する形態素解析手段とを有することを特徴とする請求項１に記載のメタデータ生成装置。
【請求項４】
前記キーワード抽出手段は、検索用メタデータの生成対象とするキーワードを記憶するキーワード記憶手段を有し、前記パブリックコンテンツ情報から抽出したキーワードのうち前記キーワード記憶手段に記憶されているキーワードと一致するキーワードを対象キーワードとして選択するように構成されていることを特徴とする請求項１乃至３の何れか１項に記載のメタデータ生成装置。
【請求項５】
前記キーワード記憶手段は、パブリックコンテンツ情報から抽出したキーワードを記憶するように構成されていることを特徴とする請求項４に記載のメタデータ生成装置。
【請求項６】
前記メタデータ生成手段は、前記キーワード抽出手段で抽出したキーワードから所定適合度に基づいて検索用キーワードを選択し、選択した検索用キーワードに基づいて検索用メタデータを生成するように構成されていることを特徴とする請求項１乃至５の何れか１項に記載のメタデータ生成装置。
【請求項７】
前記メタデータ生成手段は、所定適合度として高出現頻度を設定し、出現頻度の高いキーワードを検索用キーワードとして選択するように構成されていることを特徴とする請求項１乃至５の何れか１項に記載のメタデータ生成装置。
【請求項８】
個人のコンテンツ情報を作成する個人コンテンツ情報作成手段と、検索用メタデータの作成対象となるメタデータを含むパブリックコンテンツ情報を収集するパブリックコンテンツ情報収集手段と、キーワードを入力するキーワード入力手段と、該キーワード入力手段で入力したキーワードと一致するキーワードを記述したメタデータを含むパブリックコンテンツ情報を抽出するパブリックコンテンツ情報抽出手段と、該パブリックコンテンツ情報収集手段で抽出したパブリックコンテンツ情報に含まれるメタデータを個人コンテンツ情報の検索用メタデータとして生成するメタデータ生成手段とを備えたことを特徴とするメタデータ生成装置。
【請求項９】
前記コンテンツ情報収集手段は、放送電波、ネットワーク、記憶媒体の少なくとも１つに含まれるコンテンツ情報を収集するように構成されていることを特徴とする請求項１乃至８の何れか１項に記載のメタデータ生成装置。
【発明の詳細な説明】
【技術分野】
【０００１】
本発明は、個人が製作した静止画像データや動画像データ等で構成される個人コンテンツのメタデータを容易に生成することができるメタデータ生成装置に関する。
【背景技術】
【０００２】
放送されるＴＶ番組やホームページなどで公開されるパブリックコンテンツに加えて、近年のデジタルカメラやカメラ付携帯電話機の普及により、大量の映像や画像を撮影し、撮影した画像データを個人コンテンツとしてパーソナルコンピュータ等の記憶装置やコンパクトデスク、デジタルビデオデスク等の記憶媒体に格納することが極めて容易になってきている。このように、大量の画像・映像データを含む個人コンテンツを効率的に検索するためにメタデータを付加することは必要不可欠である。
【０００３】
デジタルカメラやデジタルビデオの画像・映像には、撮影日時がメタデータとして自動的に記憶されるが、効率的な検索という意味では不十分である。さらに、ダブリンコアやＭＰＥＧ−７などのメタデータを作成する体系も整備されているが、これらの体系に基づいてメタデータを作成、入力する作業に熟練を要し、専門家ではない一般のユーザーではメタデータの作成作業が困難である。
【０００４】
そこで、従来、少なくとも時間に関する情報を含む複数のイベント情報を記憶可能なイベント記憶部と、少なくとも時間に関する情報を含む付属情報を有する対象データを記憶可能な情報記憶部とを有すると共に、イベント情報関連判定部はイベント情報と付属情報とに基づいてイベントと対象データとの関連の有無を判定し、その判定結果をイベント表示部に認識可能に対象データを表す情報を表示するようにした情報処理方法が提案されている（例えば、特許文献１参照）。
【特許文献１】特開２００３−３０３２１０号公報（第１頁、図１，図１３）
【発明の開示】
【発明が解決しようとする課題】
【０００５】
しかしながら、上記特許文献１に記載された従来例にあっては、スケジュールデータ等のイベント情報を用意する必要があり、このイベント情報の日時を信頼性高く保守しなければならず、これが面倒であるという未解決の課題を有すると共に、イベント情報が用意されていないときには検索することができないという未解決の課題もある。
そこで、本発明は、上記従来例の未解決の課題に着目してなされたものであり、個人コンテンツに対して適合度が高く、検索を容易に行うことができるメタデータを容易に生成することができるメタデータ生成装置を提供することを目的としている。
【課題を解決するための手段】
【０００６】
第１の発明に係るメタデータ生成装置は、個人のコンテンツ情報を作成する個人コンテンツ情報作成手段と、検索用メタデータの作成対象となるパブリックコンテンツ情報を収集するパブリックコンテンツ情報収集手段と、該パブリックコンテンツ情報収集手段で収集したパブリックコンテンツ情報から前記検索用メタデータの基礎となるキーワードを抽出するキーワード抽出手段と、該キーワード抽出手段で抽出したキーワードに基づいて前記個人コンテンツ情報作成手段で作成した個人コンテンツに対する検索用メタデータを生成するメタデータ生成手段とを備えたことを特徴としている。
【０００７】
この第１の発明では、個人コンテンツ情報作成手段でデジタルカメラやデジタルビデオ等の静止画像データや動画動データで構成される個人コンテンツ情報を作成する一方、パブリックコンテンツ情報収集手段で、放送電波、ＣＡＴＶ、インターネット等を通じて放送されるテレビ番組やラジオ、ビデオオンデマンドで提供されるビデオ等の任意のイベント情報を含むパブリックコンテンツ情報を収集し、収集したパブリックコンテンツ情報からキーワードを抽出し、抽出したキーワードに基づいて検索用メタデータをメタデータ生成手段で生成することにより、個人コンテンツ情報に対して検索が容易となる検索用メタデータを容易に自動生成することができる。
【０００８】
また、第２の発明に係るメタデータ生成装置は、第１の発明において、前記パブリックコンテンツ情報収集手段は、メタデータを含むパブリックコンテンツ情報を収集するように構成され、前記キーワード抽出手段は、前記パブリックコンテンツ情報収集手段で収集したパブリックコンテンツ情報に含まれるメタデータを解析するメタデータ解析手段と、該メタデータ解析手段の解析結果に基づいて形態素解析してキーワードを抽出する形態素解析手段とを備えたことを特徴としている。
【０００９】
この第２の発明では、メタデータ解析手段で収集したパブリックコンテンツ情報に含まれるメタデータを解析し、その解析結果に基づいて形態素解析手段で形態素解析を行ってキーワードを抽出するので、個人コンテンツ情報にキーワードを抽出することが可能となる。
さらに、第３の発明に係るメタデータ生成装置は、第１の発明において、前記パブリックコンテンツ情報収集手段は、音声情報を含むパブリックコンテンツ情報を収集し、前記キーワード抽出手段は、前記音声情報を音声認識してテキストデータを形成する音声認識手段と、該音声認識手段で形成されたテキストデータを形態素解析してキーワードを抽出する形態素解析手段とを有することを特徴としている。
【００１０】
この第３の発明では、音声情報を含むパブリックコンテンツ情報を収集し、この音声情報を音声認識手段で音声認識してテキストデータを形成し、このテキストデータから形態素解析してキーワードを抽出するので、音声情報からキーワードを正確に抽出することが可能となる。
さらにまた、第４の発明に係るメタデータ生成装置は、第１乃至第３の発明において、前記キーワード抽出手段は、検索用メタデータの生成対象とするキーワードを記憶するキーワード記憶手段を有し、前記パブリックコンテンツ情報から抽出したキーワードのうち前記キーワード記憶手段に記憶されているキーワードと一致するキーワードを対象キーワードとして選択するように構成されていることを特徴としている。
【００１１】
この第４の発明では、パブリックコンテンツ情報から抽出したキーワードのうちキーワード記憶手段に記憶されているキーワードと一致するキーワードを対象キーワードとして選択するので、キーワード記憶手段にユーザーの思考に応じたキーワードを記憶させておくことにより、ユーザーの思考に最適なキーワードを抽出することができる。
なおさらに、第５の発明に係るメタデータ生成装置は、第４の発明において、前記キーワード記憶手段は、パブリックコンテンツ情報から抽出したキーワードを記憶するように構成されていることを特徴としている。
【００１２】
この第５の発明では、キーワード記憶手段にパブリックコンテンツ情報から抽出したキーワードをユーザーの好みに応じて記憶させることができ、ユーザーの思考に最適なキーワードを記憶させることができる。
また、第６の発明に係るメタデータ生成装置は、第１乃至第５の何れか１つの発明において、前記メタデータ生成手段は、前記キーワード抽出手段で抽出したキーワードから所定適合度に基づいて検索用キーワードを選択し、選択した検索用キーワードに基づいて検索用メタデータを生成するように構成されていることを特徴としている。
【００１３】
この第６の発明では、キーワード抽出したキーワードから所定適合度に基づいて検索用キーワードを選択し、選択した検索用キーワードに基づいて検索用メタデータを生成するので、不要なキーワードに基づいて検索用メタデータが生成されることを防止して、検索精度の高いキーワードのみで検索用メタデータを生成することができる。
さらに、第７の発明に係るメタデータ生成装置は、第１乃至第５の何れか１つの発明において、前記メタデータ生成手段は、所定適合度として高出現頻度を設定し、出現頻度の高いキーワードを検索用キーワードとして選択するように構成されていることを特徴としている。
【００１４】
この第７の発明では、メタデータ生成手段で出現頻度の高いキーワードを検索用キーワードとして選択することにより、このキーワードから個人コンテンツ情報に対するより検索効率の高い検索用メタデータを生成することができる。
さらにまた、第８の発明に係るメタデータ生成装置は、個人のコンテンツ情報を作成する個人コンテンツ情報作成手段と、検索用メタデータの作成対象となるメタデータを含むパブリックコンテンツ情報を収集するパブリックコンテンツ情報収集手段と、キーワードを入力するキーワード入力手段と、該キーワード入力手段で入力したキーワードと一致するキーワードを記述したメタデータを含むパブリックコンテンツ情報を抽出するパブリックコンテンツ情報抽出手段と、該パブリックコンテンツ情報収集手段で抽出したパブリックコンテンツ情報に含まれるメタデータを個人コンテンツ情報の検索用メタデータとして生成するメタデータ生成手段とを備えたことを特徴としている。
【００１５】
この第８の発明では、キーワード入力手段でユーザーが個人コンテンツ情報に最適なキーワードを入力することにより、入力されたキーワードを記述するメタデータを含むパブリックコンテンツ情報を抽出し、抽出したパブリックコンテンツ情報に含まれるメタデータを個人コンテンツ情報の検索用メタデータとして生成するので、ユーザーの設定したキーワードに対応する検索用メタデータを確実に生成することができる。
【００１６】
なおさらに、第９の発明に係るメタデータ生成装置は、第１乃至第８の何れか１つの発明において、前記コンテンツ情報収集手段は、放送電波、ネットワーク、記憶媒体の少なくとも１つに含まれるコンテンツ情報を収集するように構成されていることを特徴としている。
この第９の発明では、コンテンツ情報収集手段で、放送電波、ネットワーク、記憶媒体の少なくとも１つに含まれるコンテンツ情報を収集することにより、個人コンテンツ情報に最適なメタデータを広範囲に収集して、最適なメタデータを生成することができる。
【発明を実施するための最良の形態】
【００１７】
以下、本発明の実施の形態を図面に基づいて説明する。
図１は、本発明の第１の実施形態を示すブロック図であって、図中、ＰＣはパーソナルコンピュータ、サーバー等で構成される情報処理装置であって、この情報処理装置ＰＣは、中央演算処理装置（ＣＰＵ）１を有し、この中央演算処理装置１にシステムバス２を介して中央演算処理装置１が実行するプログラムを記憶したＲＯＭ３、中央処理装置１で実行する演算処理に必要なデータ等を記憶するＲＡＭ４、アプリケーションプログラムや後述する個人及びパブリックコンテンツ情報等を記憶するハードディスク装置（ＨＤＤ）５、デジタル多用途ディスク（ＤＶＤ）に対する書込及び読出しを行うＤＶＤドライブ装置（ＤＶＤＤ）６、データを表示するディスプレイ７、データを入力するためのキーボード８及びマウス９等が接続されている。
【００１８】
また、システムバス２には、インターネット等のネットワークに接続するネットワーク接続部１０、デジタル放送電波を受信するデジタル放送受信部１１を接続するデジタル放送受信部接続インタフェース１２、個人コンテンツ情報作成手段としてのデジタルカメラ１３を接続するデジタルカメラ接続インタフェース１４及び各種メモリカードを装着するメモリカードリーダー１５を接続するメモリカードインタフェース１６が接続されている。
【００１９】
中央演算処理装置１は、機能ブロック図で表すと、図２に示すように、デジタルカメラ１３から後述するように画像データ及び撮影メタデータで構成される個人コンテンツ情報を読込む個人コンテンツ情報読込部２０と、この個人コンテンツ情報読込部２０で読込んだ個人コンテンツ情報を記憶する個人コンテンツ情報記憶部２１と、個人コンテンツ情報を検索する場合にその検索を容易にする検索用メタデータを生成する元になるパブリックコンテンツ情報としてのメタデータを含むパブリックコンテンツ情報を収集するパブリックコンテンツ情報収集部２２と、このパブリックコンテンツ情報収集部２２で収集したパブリックコンテンツ情報を記憶するパブリックコンテンツ情報記憶部２３と、個人コンテンツ情報記憶部２１に記憶された個人コンテンツ情報から検索用メタデータを付加する個人コンテンツ情報を選択し、その撮影日時に対応するパブリックコンテンツ情報のメタデータからキーワードを抽出するキーワード抽出部２４と、このキーワード抽出部で抽出したキーワードのうちキーワード記憶部２５に予め記憶されているユーザーの意向に従ったキーワードと一致するキーワードを選択し、選択したキーワードの出現頻度の高いキーワードを検索用キーワードとしてこれを検索用メタデータに変換し、個人コンテンツ情報に関連付けて記憶するメタデータ生成部２６とを有する。
【００２０】
そして、中央演算処理装置１では、図３に示す個人コンテンツ情報を検索する場合にその検索を容易にするメタデータを生成する元になるパブリックコンテンツ情報を収集するコンテンツ情報収集処理、図５に示すデジタルカメラ１３からの静止画像データを読込む個人コンテンツ情報読込処理、図７に示すパブリックコンテンツ情報からメタデータを生成するメタデータ生成処理を実行する。
【００２１】
コンテンツ情報収集処理は、図３に示すように、先ず、ステップＳ０で、収集するパブリックコンテンツ情報を設定する情報収集設定画面を表示する。この情報収集設定画面は、図４に示すように、放送チャンネルを設定する放送チャンネル設定部２７と、ニュース番組、歌謡番組、ドラマ等のパブリックコンテンツ情報の種別を選択する種別選択部２８と、収集期間を設定する収集期間設定部２９とを備えている。
【００２２】
この情報収集設定画面で各設定部２７〜２９を設定すると、ステップＳ１に移行し、設定されたデジタル放送チャンネルの番組情報を取得し、次いでステップＳ２に移行して、取得した番組情報から設定された番組が放送される時間帯を抽出してからステップＳ３に移行する。
このステップＳ３では、抽出された設定番組の放送開始時間となったか否かを判定し、設定番組の放送開始時間となっていないときには、放送開始時間となるまで待機し、放送開始時間となったときにはステップＳ４に移行して、設定番組に付随するメタデータを例えばハードディスク装置５に形成したパブリックコンテンツ情報記憶領域に、記録日時と共に記憶してからステップＳ５に移行する。
【００２３】
このステップＳ５では、設定番組の放送時間が終了したか否かを判定し、放送時間が終了していないときには前記ステップＳ４に戻り、放送時間が終了したときにはステップＳ６に移行して、前記ステップＳ２で抽出した全ての設定番組におけるメタデータの収集が完了したか否かを判定し、収集していない設定番組が存在する場合にはステップＳ７に移行して、次の設定番組を指定してから前記ステップＳ３に戻り、全ての設定番組におけるメタデータの収集が終了したときにはステップＳ８に移行して、情報収集を継続するか否かを例えば収集期間設定部２９で設定した収集期間内であるか否かで判定し、収集期間内であるときには情報収集を継続するものと判断して前記ステップＳ１に戻り、収集期間を終了したときには情報収集処理を終了する。
【００２４】
また、個人コンテンツ情報読込処理は、デジタルカメラ接続インタフェース１４にデジタルカメラ１３が接続されたときに実行され、図５に示すように、先ず、ステップＳ１１で、デジタルカメラ１３に内蔵された撮影した画像データ及びそのメタデータを関連付けして記憶するメモリカードにアクセスして、これに記憶されている画像データ及びメタデータを順次読込む。
【００２５】
ここで、カードメモリに記憶されている画像データは、図６に示すように、デジタルカメラ１３で撮影したバイナリデータの画像データを圧縮した例えばＪＰＥＧ圧縮形式のデータのデータ記録領域ＲＤと、このデータ記録領域ＲＤに続くＸＭＬ（Extensible Markup Language）データで記述されるメタデータを記録する撮影メタデータ記憶領域ＲＭとが連結された形式で記憶されている。撮影メタデータ記憶領域ＲＭに記録されたメタデータは、メタデータ領域ヘッダーＲＭ１、メタデータボディＲＭ２及びメタデータ領域フッターＲＭ３とで構成されている。メタデータ領域ヘッダーＲＭ１及びメタデータ領域フッターＲＭ３は、画像データにメタデータが連結されているか否かを正しく認識するために、撮影メタデータ記憶領域ＲＭの識別情報、サイズ情報が記録され、メタデータボディＲＭ２には、撮影した画像情報の日時情報、シャッター速度、絞り等の撮影情報等がＸＭＬファイル形式で記録されている。
【００２６】
このように、画像データ記憶領域ＲＤの次にメタデータ記録領域ＲＭを形成することにより、他のアプリケーションには影響を与えずに、メタデータを登録することができる。すなわち、画像データのヘッダー部分の情報はメタデータの接続前から変化しないので、画像データを一般的なブラウザによって画像再生が行えることになる。
次いで、ステップＳ１２に移行して、読込んだ画像データをディスプレイ７に表示して、読込みたい画像データを選択する選択処理を行い、次いでステップＳ１３に移行して、選択処理で選択された画像データが存在するか否かを判定し、選択された画像データが存在しない場合には読込処理を終了し、選択された画像データが存在する場合には、ステップＳ１４に移行して、選択された画像データ及びこれに付属するメタデータとをハードディスク装置５の指定された個人コンテンツ情報記憶領域としての画像データ記憶領域に記憶してから画像データ読込処理を終了する。
【００２７】
さらに、メタデータ生成処理は、所定のメニュー画面で、メタデータ生成処理が選択されたときに実行開始され、図７に示すように、先ず、ステップＳ２１で、ハードディスク装置５の画像データ記憶領域から画像データの検索を容易にする検索用メタデータを付加する対象となる画像データを読込んでディスプレイ７に表示する画像データ選択処理を行い、次いでステップＳ２２に移行して、画像データ選択処理で、検索用メタデータを付加する対象となる画像データが選択されたか否かを判定し、画像データが選択されていないときにはステップＳ２３に移行して、メタデータ生成処理を終了する処理終了ボタンの選択等による処理終了指示があったか否かを判定し、処理終了指示があったときにはそのままメタデータ生成処理を終了し、処理終了指示がないときには前記ステップＳ２１に戻る。
【００２８】
一方、ステップＳ２２の判定結果が、選択された画像データが存在するものであるときには、ステップＳ２４に移行して、選択された画像データに付加された撮影メタデータを読込み、次いでステップＳ２５に移行して、ハードディスク装置５のパブリックコンテンツ情報記憶領域に記憶されているパブリックコンテンツ情報から上記ステップＳ２４で読込んだメタデータに記述された撮影日時に近い日時のパブリックコンテンツ情報を抽出し、次いでステップＳ２６に移行して、抽出されたパブリックコンテンツ情報が存在するか否かを判定し、抽出されたパブリックコンテンツ情報が存在しない場合にはステップＳ２７に移行して、該当するパブリックコンテンツ情報が存在しない旨のガイダンス情報をディスプレイ７に表示してから後述するステップＳ４７に移行し、抽出されたパブリックコンテンツ情報が存在する場合にはステップＳ２８に移行する。
【００２９】
このステップＳ２８では、抽出されたパブリックコンテンツ情報の最初の１つについてメタデータを読込み、次いでステップＳ２９に移行して、メタデータを解析してメタデータとして記述されているテキストデータを抽出し、次いでステップＳ３０に移行して、抽出したテキストデータが単一の単語で構成されているか否かを判定し、単一の単語で構成されている場合にはステップＳ３１に移行して、単一の単語をキーワードとして設定してからステップＳ３４にジャンプする。
【００３０】
また、前記ステップＳ３０の判定結果が、テキストデータが単一の単語で構成されていないときにはステップＳ３２に移行して、テキストデータを形態素解析して固有名詞の単語を抽出し、次いでステップＳ３３に移行して抽出した単語をキーワードとして設定してからステップＳ３４に移行する。
ステップＳ３４では、ハードディスク装置５に予め設定されたキーワード記憶部に記憶されたキーワードと一致するキーワードを抽出し、次いでステップＳ３５に移行して、一致するキーワードが抽出されたか否かを判定し、一致するキーワードが抽出されたときには後述するステップＳ３９にジャップし、一致するキーワードが抽出されなかったときには、ステップＳ３６に移行して、テキストデータから抽出したキーワードを採用するか否かを選択する選択画面をディスプレイ７に表示し、次いでステップＳ３７に移行して、キーワードの採用が設定されたか否かを判定し、キーワードの採用が選択されないときには後述するステップＳ４０にジャンプし、キーワードの採用が選択されたときにはステップＳ３８に移行して、採用されたキーワードをキーワード記憶部に追加してからステップＳ３９に移行する。
【００３１】
ステップＳ３９では、抽出されたキーワードを検索キーワードとしてＲＡＭ４に一時記憶し、次いでステップＳ４０に移行し、上述したキーワード抽出処理をしていないパブリックコンテンツ情報が存在するか否かを判定し、キーワード抽出処理を終了していないパブリックコンテンツ情報が存在する場合にはステップＳ４１に移行して、次のパブリックコンテンツ情報のメタデータを読込んでから前記ステップＳ２９に戻り、抽出した全てのパブリックコンテンツ情報に対してキーワード抽出処理が終了したときにはステップＳ４２に移行する。
【００３２】
このステップＳ４２では、ＲＡＭ４に記憶されたキーワードから出現頻度の高いキーワードを選択し、次いでステップＳ４３に移行して、選択したキーワードを検索用キーワードとして採用するか否かを選択する選択画面をディスプレイ７に表示し、次いでステップＳ４４に移行して検索用キーワードとして選択されているか否かを判定し、検索用キーワードとして選択されていないときには後述するステップＳ４７にジャンプし、検索用キーワードとして選択されているときにはステップＳ４５に移行して、検索用キーワードを検索用メタデータに変換し、次いでステップＳ４６に移行して、変換した検索用メタデータを該当する画像データの撮影メタデータ記憶領域ＲＭに付加すると共に、メタデータ領域ヘッダーＲＭ１及びメタデータ領域フッターＲＭ３ヘッダーを変更してからステップＳ４７に移行する。
【００３３】
ステップＳ４７では、他の個人コンテンツ情報を選択するか否かを判定し、他の個人コンテンツ情報を選択する場合には前記ステップＳ２１に戻り、他の個人コンテンツ情報を選択しない場合にはメタデータ生成処理を終了する。
なお、図３の処理がパブリックコンテンツ情報収集手段に対応し、図７の処理において、ステップＳ２１〜Ｓ４１の処理がキーワード抽出手段に対応し、ステップＳ２８及びＳ２９の処理がメタデータ解析手段に対応し、ステップＳ３２の処理が形態素解析手段に対応し、ステップＳ３５〜Ｓ３８の処理がキーワード記憶手段に対応し、ステップＳ４２〜ステップＳ４６の処理がメタデータ生成手段に対応している。
【００３４】
次に、上記第１の実施形態の動作を説明する。
先ず、ユーザーは情報処理装置ＰＣを起動して、ユーザーがデジタルカメラ１３を操作して撮影した画像データ及びメタデータで構成される個人コンテンツ情報を多数纏めてアルバム形式等の任意の形式でハードディスク装置５に格納する場合に、撮影データの検索を容易にする検索用メタデータを生成するためのパブリックコンテンツ情報を収集するコンテンツ情報収集処理を実行する。
【００３５】
このコンテンツ情報収集処理では、前述したように、個人コンテンツ情報の検索を容易にするためのキーワードを収集するためのものであり、例えばコンテンツ情報収集処理を実行開始するアイコンをマウスで指定してクリックすることにより、図３の情報収集処理が開始される。この情報収集処理では、先ず、図４に示す情報収集設定画面が表示され（ステップＳ０）、この情報収集設定画面で収集するパブリックコンテンツ情報の放送チャンネル設定部２７でデジタル放送の放送チャンネルを設定すると共に、パブリックコンテンツ情報種別設定部２８でパブリックコンテンツ情報の種別例えばニュース番組を設定し、さらに収集期間設定部２９でパブリックコンテンツ情報を収集する期間を設定し、その後に図示しない実行ボタンをマウス９でクリックすることにより、ステップＳ１に移行する。
【００３６】
このステップＳ１では、指定されたデジタル放送チャンネルの番組情報を取得し、取得した番組情報からニュース番組の時間帯を抽出する（ステップＳ２）。
そして、最初のニュース番組の開始時刻となるまでは待機し、該当ニュース番組の開始時刻となると（ステップＳ３）、ニュース番組に付随する各種メタデータのうち例えばニュース内容を記述するコンテンツ記述メタデータ、コンテンツの特定のインスタンスを記述するインスタンス記述メタデータ等のニュース内容を記述するメタデータをハードディスク装置５に形成したパブリックコンテンツ情報記憶領域に記憶する（ステップＳ４）。
【００３７】
そして、ニュース番組が終了すると、設定した全てのニュース番組からのメタデータの収集が完了したか否かを判定し（ステップＳ５）、残りのニュース番組が存在する場合には、残りのニュース番組の内一番近い時間帯の次のニュース番組を指定し（ステップＳ７）、次いで前記ステップＳ３に戻る。
そして、上記情報収集処理を取得した番組情報に記載された全てのニュース番組のメタデータ収集を完了すると（ステップＳ６）、指定した期間内の情報収集が終了したか否かを判定し、設定期間が満了しておらず情報収集を継続する場合には前記ステップＳ１に戻り、設定期間が満了すると情報収集処理を終了する。
【００３８】
このように情報収集処理を設定期間の間繰り返すことにより、ニュース番組で取り上げられた重大ニュースやスキー、花見、花火大会、海水浴などの季節に合わせたイベントを記述する種々のメタデータをその日時に対応させて順次収集することができ、これらがハードディスク装置５のパブリックコンテンツ情報記憶領域に記憶される。
このようにして、ハードディスク装置５のパブリックコンテンツ情報記憶領域に順次ニュース番組のメタデータがその日時と共に記憶されている状態で、ユーザーがデジタルカメラ１３で例えば花火大会の風景や人物の写真を撮影し、そのビットマップ画像データと撮影日時、撮影データ等の撮影メタデータとで構成される個人コンテンツ情報をデジタルカメラ１３のメモリカードに格納する。
【００３９】
その後、デジタルカメラ１３を自宅に持ち帰って、デジタルカメラ１３を直接デジタルカメラ接続インタフェース１４に接続するか又はデジタルカメラ１３からメモリカードを抜き出し、これをメモリカードインタフェース１６に接続されたメモリカードリーダー１５に装着した状態で、図５に示す個人コンテンツ情報読込処理を実行する。
これにより、メモリカードアクセスして、これに格納された各個人コンテンツ情報を読込み（ステップＳ１１）、読込んだ各個人コンテンツ情報をディスプレイ７に表示して、必要な個人コンテンツ情報を選択する画像データ選択処理を行い（ステップＳ１２）、この画像データ選択処理で選択された画像データと撮影メタデータとで構成される個人コンテンツ情報がハードディスク装置５の指定した個人コンテンツ情報記憶領域としての画像データ記憶領域に記憶される（ステップＳ１４）。
【００４０】
この個人コンテンツ情報のハードディスク装置５への記憶が完了した時点で又はその後に、記憶した個人コンテンツ情報に対して検索を容易にするための検索用メタデータを付加するには、例えばディスプレイ７に表示されているアイコンをクリックして図７に示すメタデータ生成処理を実行させる。
このメタデータ生成処理では、先ず、検索用メタデータを付加する個人コンテンツ情報を選択する選択処理を実行する。この選択処理では、ハードディスク装置５の個人コンテンツ情報記憶領域に記憶されている個人コンテンツ情報をディスプレイ７に表示し、表示された個人コンテンツ情報から所望の個人コンテンツ情報を選択する。この場合、個人コンテンツ情報は１つの画像データを選択してもよく、複数の画像データをグループに纏めてグループ単位で選択するようにしてもよい。
【００４１】
そして、個人コンテンツ情報の選択が行われない場合には処理終了ボタンをマウスでクリックする等の処理終了指示が入力されたか否かを判定し、処理終了指示が入力されたときには、そのままメタデータ生成処理を終了するが、処理終了指示が入力されていないときにはステップＳ２１に戻って個人コンテンツ情報選択処理を継続する。
この個人コンテンツ情報選択処理で、任意の個人コンテンツ情報が１つ又はグループ単位で選択されると、ステップＳ２２からステップＳ２４に移行して、対象となる個人コンテンツ情報に付加されている撮影メタデータを読込み、ハードディスク装置５に形成されたパブリックコンテンツ情報記憶領域をアクセスして、撮影メタデータに記述された撮影日時に近い日時のパブリックコンテンツ情報を抽出する（ステップＳ２５）。
【００４２】
そして、該当するパブリックコンテンツ情報が抽出されたか否かを判定し、該当するパブリックコンテンツ情報が抽出されないときには、該当パブリックコンテンツ情報が存在しない旨のガイダンス情報をディスプレイ７に表示してからステップＳ４７に移行して、他の個人コンテンツ情報を選択するか否かを判定し、他の個人コンテンツ情報を選択する場合にはステップＳ２１に戻り、他の個人コンテンツ情報を選択しない場合にはメタデータ生成処理を終了する。
【００４３】
一方、ステップＳ２６の判定結果が、該当するパブリックコンテンツ情報が存在する場合にはその最初のパブリックコンテンツ情報のメタデータを読込む（ステップＳ２８）。
このとき、パブリックコンテンツ情報のメタデータが、図８に示すように、ニュース番組のメタデータであって、「Ｔｉｔｌｅ」として「２００４年夏花火大会」が設定され、「Ｓｙｎｏｐｓｉｓ（概要）」として「花火大会が隅田川に大きな花火が上がった。観衆から歓声があがる。」と記述されていたものとし、一方、ハードディスク装置５のキーワード記憶部に図９に示すようにキーワードとして「花火大会、運動会、発表会、コンサート、……利根川、隅田川、木曽川……」等が記憶されているものとする。
【００４４】
この状態でメタデータを解析してテキストデータを抽出すると、「花火大会が隅田川に大きな花火が上がった。観衆から歓声があがる。」が抽出され、これが単一単語ではないので、ステップＳ３０からステップＳ３２に移行して、形態素解析して固有名詞の単語「花火大会」「隅田川」「花火」「観衆」及び「歓声」がキーワードとして抽出される。
そして、抽出された各単語のうちキーワード記憶領域に記憶されているキーワードと一致するキーワードを抽出すると、「花火大会」「隅田川」が一致することになり、これらが検索用キーワードとしてＲＡＭ４の所定記憶領域に一時記憶される。
【００４５】
次いで、キーワード抽出処理していないパブリックコンテンツ情報即ち他のニュース番組が存在する場合には、このニュース番組についてステップＳ２９〜Ｓ３９の解析処理が行われ、ここでは打ち上げ場所の異なる「花火大会」のニュースが取り上げられているものとすると、「花火大会」の出現頻度が高くなり、この「花火大会」がキーワードとして選択される（ステップＳ４２）。
【００４６】
そして、選択されたキーワード「花火大会」を検索用キーワードとして採用するか否かの選択画面がディスプレイ７に表示され（ステップＳ４３）、これを検索用キーワードとして選択したときには、「花火大会」をメタデータに変換し（ステップＳ４５）、このメタデータを該当する個人コンテンツ情報の撮影メタデータ記憶領域ＲＭに付加すると共に、メタデータ領域ヘッダー及びメタデータ領域フッターを変更し（ステップＳ４６）。次いで、ステップＳ４７に移行する。このときの検索用メタデータは、図１０に示すように、例えば「ＤｒｉｖｅｄＫｅｙｗｏｒｄ」として「花火大会」が記憶される。
【００４７】
このステップＳ４７で他の個人コンテンツ情報を選択するか否かを判定し、他の個人コンテンツ情報を選択する場合には前記ステップＳ２１に戻り、他の個人コンテンツ情報を選択しない場合にはメタデータ生成処理を終了する。
ところで、前述したステップＳ３４でテキストデータから抽出したキーワードがキーワード記憶部に記憶されているキーワードと一致しない場合には、ステップＳ３５からステップＳ３６に移行して、テキストデータから抽出したキーワードを採用するか否かの選択画面をディスプレイ７に表示し、テキストデータから抽出したキーワードを採用する場合には、ステップＳ３７からステップＳ３８に移行して、採用したキーワードを新たなキーワードとしてキーワード記憶部に追加してからステップＳ３９に移行して検索用キーワードとしてＲＡＭ４に一時記憶する。
【００４８】
このため、他のニュース番組でも新たなキーワードが抽出され、その出現頻度が高い場合には、新たなキーワードが検索用キーワードとして採用され、これを選択することにより、メタデータに変換されて該当する個人コンテンツ情報の撮影メタデータ記憶領域ＲＭに付加される。
このようにして、ハードディスク装置５に記憶された個人コンテンツ情報に検索用メタデータが自動的に付加されることにより、後日個人コンテンツ情報を検索する際、個人コンテンツ情報の日時が正確に思い出せない場合に、検索用キーワード例えば上記の場合「花火大会」を入力して検索することにより、該当する個人コンテンツ情報を正確に検索することができる。この場合、個人コンテンツ情報の内容と検索用メタデータで記述されたキーワードの内容とが一致する必要はなく、花火大会の頃に撮影した個人コンテンツ情報を検索したい場合に花火大会の前後の個人コンテンツ情報に「花火大会」を記述する検索用メタデータが付加されることになるため、「花火大会」をキーワードとして時期的に関連する個人コンテンツ情報を正確に検索することができる。
【００４９】
このように、上記第１の実施形態によれば、所望の収集期間でパブリックコンテンツ情報を収集して、このパブリックコンテンツ情報に含まれるメタデータから検索用メタデータを生成するようにしたので、ユーザーが検索用メタデータを直接入力することなく、検索用メタデータを生成することができ、検索用メタデータを煩わしい操作を伴うことなく容易に生成することができ、操作に不慣れなユーザーであっても個人コンテンツ情報に検索用メタデータを容易に付加することができる。
【００５０】
しかも、検索用メタデータを作成する対象となるパブリックコンテンツ情報を限定することができるので、ユーザー個人に最適なキーワードを抽出することができ、後の個人コンテンツ情報を検索する際のキーワードとして最適なキーワード設定することができる。
しかも、パブリックコンテンツ情報から抽出したキーワードをキーワード記憶部に記憶されているキーワードと比較して一致するキーワードを検索用キーワードとして設定するので、不用意に多数のキーワードが検索用キーワードとして設定されることがなく、ユーザーが必要とするキーワードのみが検索用メタデータとして設定され、全体の検索用メタデータ数を制限することができる。
【００５１】
なお、上記第１の実施形態においては、パブリックコンテンツ情報としてデジタル放送のニュース番組を選択する場合について説明したが、これに限定されるものではなく、例えば図１１に示すように、デジタル放送やアナログ放送の視聴率データにアクセスできる場合には、視聴率の高い番組で且つ連続しているドラマ等の特定の可能な番組を抽出し、抽出した番組の番組名を検索用メタデータとして生成するようにしてもよい。この場合には、視聴率の高い番組は、番組自体が社会的に話題になっていることが多く、視聴者の記憶に残っている場合が多い。したがって、番組名などを検索用メタデータとすることにより、最適なキーワードを設定することができる。同様に、ドラマのように連続するものではないが、一つのチャンネルではなく、複数のチャンネルの報道番組、ワイドショー等で取り上げられている全国的な話題や世界的な話題を検索用メタデータとして採用するようにしてもよい。
【００５２】
また、上記第１の実施形態においては、キーワードの出現頻度に基づいて検索用キーワードとして設定する場合について説明したが、これに限定されるもではなく、抽出されたキーワードをディスプレイに表示して、ユーザーがキーボード８、マウス９等で選択することにより、採用する検索用キーワードを設定するようにしてもよい。
さらに、上記第１の実施形態においては、パブリックコンテンツ情報、個人コンテンツ情報、検索用メタデータをハードディスク装置５に記憶した場合について説明したが、これに限定されるものではなく、検索用メタデータを付加した個人コンテンツ情報をＤＶＤドライブ装置６でＤＶＤに格納するようにしてもよく、他の任意の記憶装置を適用するようにしてもよい。
【００５３】
次に、本発明の第２の実施形態を図１２及び図１３について説明する。
この第２の実施形態では、デジタル放送の番組情報に付随するメタデータを利用して個人コンテンツ情報のメタデータを自動生成する場合に代えて、デジタル放送やアナログ放送、さらにはラジオ放送の音声情報に基づいてメタデータを自動生成するようにしたものである。
【００５４】
すなわち、第２の実施形態では、中央演算処理装置１で図１２に示すコンテンツ情報収集処理を実行する。このコンテンツ情報収集処理は、前述した第１の実施形態における図３のコンテンツ情報収集処理において、ステップＳ４及びＳ５の処理が省略され、これらに代えて、ステップＳ３で抽出したニュース番組の放送開始時間と判定されたときに、ニュース番組の音声情報を音声認識してテキストデータを作成する音声認識処理を実行するステップＳ５１に移行し、次いで、ニュース番組を開始してから重要なニュースの概要を紹介する所定時間（例えば３分程度、コマーシャルが入る場合には実際のニュースが提供されてから３分程度）が経過したか否かを判定し、所定時間が経過していないときには全ステップＳ５１に戻り、所定時間が経過したときにはステップＳ５３に移行して、作成したテキストデータをコンテンツ情報記憶部に記憶してから前記ステップＳ６に移行することを除いては同様の処理を行い、図３の処理と対応する処理には同一ステップ番号を付し、その詳細説明はこれを省略する。ここで、音声認識処理としては、周波数分析、音素の認識、単語認識、文章認識のステップで行われる。
【００５５】
また、中央演算処理装置１で実行するメタデータ生成処理が、図１３に示すように、第１の実施形態における図７のメタデータ生成処理において、ステップＳ２８の処理が最初のメタデータを読込む処理から最初のテキストデータを読込む処理に変更され、メタデータを解析してテキストを抽出するステップＳ２９、テキストが単一単語で構成されているか否かを判定するステップＳ３０及び単語をキーワードに設定するステップＳ３１の処理が省略され、さらにステップＳ４１の処理が次のコンテンツ情報のメタデータを読込む処理から次のコンテンツ情報のテキストデータを読込む処理に変更されていることを除いては図７のメタデータ生成処理と同様の処理を行い、図７との対応部分には同一ステップ番号を付し、その詳細説明はこれを省略する。
【００５６】
なお、図１２の処理がパブリックコンテンツ情報収集手段に対応し、このうちステップＳ５１の処理が音声認識手段に対応し、図１３の処理におけるステップＳ２１〜Ｓ２９、Ｓ３２〜Ｓ４１の処理がキーワード抽出手段に対応し、このうちステップＳ３２の処理が形態素解析手段に対応し、図１３の処理におけるステップＳ４２〜Ｓ４６の処理がメタデータ生成手段に対応している。
【００５７】
この第２の実施形態によると、第１の実施形態におけるニュース番組に付随するメタデータを収集する場合に代えて、ニュース番組冒頭の重要なニュースの概要を音声認識処理してテキストデータを作成し（ステップＳ５１）、作成したテストデータをコンテンツ情報記憶部に記憶するようにしているので、コンテンツ情報記憶部に記憶する情報量としては多くなるが、重要なニュースを抽出することができる。
【００５８】
そして、コンテンツ情報記憶部に記憶されたテキストデータに基づいて図１３のメタデータ生成処理で、形態素解析を行って固有名詞でなる複数のキーワードを抽出し、抽出した複数のキーワードをキーワード記憶部に記憶されているキーワードと比較して一致するキーワードを選択してＲＡＭ４に一時記憶し、個人コンテンツ情報の撮影日時近傍の各ニュース番組から選択したキーワードのうち出現頻度の高いキーワードを検索用キーワードとして設定し、これをディスプレイ７に表示してユーザーが確認したときに検索用メタデータに変換し、この検索用メタデータを個人コンテンツ情報の画像データ記憶領域ＲＤに続く撮影メタデータ記憶領域ＲＭに付加すると共に、メタデータ領域ヘッダー及びメタデータ領域フッターを変更する。
【００５９】
このため、前述した第１の実施形態と同様に、ニュース番組の音声信号から個人コンテンツ情報の検索用メタデータを自動生成することができ、ユーザーの煩わしい操作を防止して、負担を大幅に軽減することができ、操作に不慣れなユーザーであっても個人コンテンツ情報に容易に検索用メタデータを付加することができる。
なお、上記第２の実施形態においては、図１２に示すパブリックコンテンツ情報の収集処理の中で音声認識処理によるテキストデータの作成を行う場合について説明したが、これに限定されるものではなく、図１３に示すメタデータ生成処理において、ステップＳ２８で音声情報を読込み、次いでステップＳ３２に移行して音声認識処理を行って単語を抽出するようにしてもよい。この場合の音声認識処理としては、上述したように周波数分析、音素の認識、単語認識、文章認識を行ってテキストデータを形成するようにしてもよいが、周波数分析、音素の認識を行った後に単語ＨＭＭ（Hidden Markov Model）を行って直接単語を抽出するようにすることが好ましい。
【００６０】
また、上記第２の実施形態においては、デジタル放送電波を受信したときの音声信号に基づいて検索用メタデータを生成する場合について説明したが、これに限定されるものではなく、アナログ放送電波を受信して、そのニュース番組の音声信号から検索用メタデータを生成したり、ラジオ放送のニュース番組の音声信号から検索用メタデータを形成したりすることができる。
【００６１】
さらに、上記第１及び第２の実施形態においては、検索用キーワードが選択されたときに、この検索用キーワードをディスプレイ７に表示してユーザーが採用するか否かを選択するようにした場合について説明したが、これに限定されるものではなく、検索用キーワードが選択されたときに、ユーザーの判断を行うことなく、検索用キーワードを検索用メタデータに変換して個人コンテンツ情報の撮影メタデータに付加するようにしてもよい。
【００６２】
さらにまた、上記第１及び第２の実施形態においては、検索用キーワードとしての適合度として高出現頻度を設定した場合について説明したが、これに限定されるものではなく、キーワードに優先度を付け、優先度が高いキーワードを検索用キーワードとして選択するようにしてもよい。
なおさらに、上記第１及び第２の実施形態においては、生成した検索用メタデータを個人コンテンツ情報の撮影メタデータに付加する場合について説明したが、これに限定されるものではなく、生成した検索用メタデータをハードディスク装置５に形成した検索用メタデータ記憶領域に個人コンテンツ情報と関連付けして記憶するようにしてもよい。
【００６３】
また、上記第１及び第２の実施形態においては、パブリックコンテンツ情報を収集して、このパブリックコンテンツ情報から個人コンテンツ情報の日時に該当するパブリックコンテンツ情報のメタデータを抽出するようにした場合について説明したが、これに限定されるものではなく、図１４で機能ブロック図として示すように、前述した図３に示す情報処理収集処理を実行するパブリックコンテンツ収集部３１と、このパブリックコンテンツ収集部３１で収集したパブリックコンテンツ情報を記憶するパブリックコンテンツ記憶部３２と、検索用のキーワードを入力するキーボード８等のキーワード入力手段としてのキーワード入力部３３と、このキーワード入力部３３で入力したキーワードと同一のキーワードを記述したメタデータを含むパブリックコンテンツ情報をパブリックコンテンツ記憶部３２に記憶されているパブリックコンテンツ情報から抽出するパブリックコンテンツ情報抽出手段としてのパブリックコンテンツ抽出部３４と、このパブリックコンテンツ抽出部３４で抽出したパブリックコンテンツ情報のメタデータを検索用メタデータとして個人コンテンツ情報記憶部３５にが記憶された個人コンテンツ情報と関連付けしてハードディスク装置等に記憶するメタデータ生成手段としてのメタデータ生成部３６とを設けるようにしてもよい。
【００６４】
さらに、上記第１及び第２の実施形態においては、デジタル又はアナログ放送電波を受信部１１で受信する場合について説明したが、これに限定されるものではなく、光ファイバー等を利用したＣＡＴＶ等で配信される放送情報や、インターネット等のネットワークを介して配信される放送情報や、ビデオオンデマンドで提供されるビデオ等を収集するようにしてもよく、さらには、インターネット等のネットワークを介して配信される新聞データや、ＤＶＤ、ＣＤ等の記憶媒体に記憶された年間の新聞情報、雑誌情報等をパブリックコンテンツ情報として収集するようにしてもよい。
【００６５】
さらにまた、上記第１及び第２の実施形態においては、個人コンテンツ情報作成手段としてデジタルカメラ１３を適用した場合について説明したが、これに限定されるものではなく、動画データを撮影するデジタルビデオカメラを適用することもでき、任意の個人コンテンツ情報作成手段を適用することができる。
なおさらに、上記第１及び第２の実施形態においては、１つ情報処理装置ＰＣでパブリックコンテンツ情報収集処理と、メタデータ生成処理とを行う場合について説明したが、これに限定されるものではなく、パブリックコンテンツ情報収集処理と個人コンテンツ情報読込処理及びメタデータ生成処理とを個別の情報処理装置で行い、両者をネットワークで接続して連携させるようにしてもよく、さらにはデジタル放送受信装置でパブリックコンテンツ情報収集処理、個人コンテンツ情報読込処理及びメタデータ生成処理を行うようにしてもよい。
【図面の簡単な説明】
【００６６】
【図１】本発明の一実施形態を示すブロック図である。
【図２】中央演算処理装置の機能ブロック図である。
【図３】中央演算処理装置で実行するパブリックコンテンツ情報収集処理手順の一例を示すフローチャートである。
【図４】パブリックコンテンツ情報収集処理でディスプレイに表示する情報収集設定画面を示す説明図である。
【図５】中央演算処理装置で実行する個人コンテンツ情報読込処理手順の一例を示すフローチャートである。
【図６】デジタルカメラのメモリカードの記憶領域を示す説明図である。
【図７】中央演算処理装置で実行するメタデータ生成処理手順の一例を示すフローチャートである。
【図８】パブリックコンテンツ情報に付加されたメタデータを示す説明図である。
【図９】キーワード記憶部に記憶されたキーワード記憶内容を示す説明図である。
【図１０】個人コンテンツ情報に付加する検索用メタデータの一例を示す説明図である。
【図１１】番組視聴率データを示す説明図である。
【図１２】本発明の第２の実施形態におけるパブリックコンテンツ情報収集処理手順の一例を示すフローチャートである。
【図１３】本発明の第２の実施形態におけるメタデータ生成処理手順の一例を示すフローチャートである。
【図１４】中央演算処理装置の他の機能ブロック図である。
【符号の説明】
【００６７】
ＰＣ…情報処理装置、１…中央演算処理装置、２…システムバス、３…ＲＯＭ、４…ＲＡＭ、５…ハードディスク装置、６…ＤＶＤドライブ装置、７…ディスプレイ、８…キーボード、９…マウス、１０…ネットワーク接続部、１１…デジタル放送受信部、１３…デジタルカメラ、１５…メモリカードリーダー、２０…個人コンテンツ情報読込部、２１…個人コンテンツ情報記憶部、２２…パブリックコンテンツ収集部、２３…パブリックコンテンツ記憶部、２４…キーワード抽出部、２５…キーワード記憶部、２６…メタデータ生成部、２７…放送チャンネル設定部、２８…パブリックコンテンツ情報種別設定部、２９…収集期間設定部、３１…パブリックコンテンツ収集部、３２…パブリックコンテンツ記憶部、３３…キーワード入力部、３４…パブリックコンテンツ抽出部、３５…個人コンテンツ記憶部、３６…メタデータ生成部
【図１】
2006163877.tif 000003
【図２】
2006163877.tif 000004
【図３】
2006163877.tif 000005
【図４】
2006163877.tif 000006
【図５】
2006163877.tif 000007
【図６】
2006163877.tif 000008
【図７】
2006163877.tif 000009
【図８】
2006163877.tif 000010
【図９】
2006163877.tif 000011
【図１０】
2006163877.tif 000012
【図１１】
2006163877.tif 000013
【図１２】
2006163877.tif 000014
【図１３】
2006163877.tif 000015
【図１４】
2006163877.tif 000016